(57)【要約】【課題】鏡像反転の補正を不要とすると共に、原稿の向きを間違えにくくする。【解決手段】固定原稿モードにおいて、原稿収容部５９に収容された原稿に対して、画像読取部３０を左から右方向に移動させながら原稿画像を読み取る。移動原稿モードにおいては、画像読取部３０に対して、原稿を右から左方向に移動させながら原稿画像を読み取る。このように、固定原稿モード及び移動原稿モードにおいて、原稿画像を読み取る読み取り方向が同じであるため、鏡像反転の補正が不要である。また、原稿画像を上向きにして原稿が原稿台６０に載置されるので、実際に原稿画像を見ながら原稿を原稿台６０に載置でき、原稿の向きを間違えにくい。【選択図】図２
2009105837.tif 000002
【特許請求の範囲】
【請求項１】
原稿画像を上向きにして原稿収容部に収容された原稿束から一枚ずつ分離搬送される原稿を、画像読取部に対して移動させて原稿画像を読み取る移動原稿モードと、
原稿画像を上向きにして前記原稿収容部に収容された原稿に対して前記画像読取部を移動させて原稿画像を読み取ると共に、前記画像読取部が原稿画像を読み取る読取り方向が前記移動原稿モードと同じである固定原稿モードと、
を備えたことを特徴とする画像読取装置。
【請求項２】
前記固定原稿モードにおける角度よりも前記移動原稿モードにおいて斜めに傾けられ、前記画像読取部が収容された筐体と、
前記筐体上に形成され、前記画像読取部に対して移動した原稿が排出される排出部と、
を備えたことを特徴とする請求項１に記載の画像読取装置。
【請求項３】
前記原稿収容部に収容された原稿束から原稿を一枚ずつ分離搬送する搬送手段と、
前記固定原稿モードにおいて、前記画像読取部が前記原稿の原稿画像を読み取り可能な読み取り位置へ前記原稿収容部を上昇させると共に、前記移動原稿モードにおいて、前記搬送手段が前記原稿を搬送可能な搬送位置へ前記原稿収容部を下降させる昇降手段と、
を備えたことを特徴とする請求項１又は請求項２に記載の画像読取装置。
【請求項４】
請求項１〜３のいずれか１項に記載の画像読取装置と、
前記画像読取装置で読み取られた画像に基づいて、記録媒体へ画像を記録する画像記録装置と、
を備えたことを特徴とする画像形成装置。
【発明の詳細な説明】
【技術分野】
【０００１】
本発明は、画像読取装置及び画像形成装置に関する。
【背景技術】
【０００２】
画像読取装置としては、特許文献１に開示される画像読取り装置が公知である。特許文献１に開示される画像読取り装置では、固定読み時において、原稿台上に位置決め固定された原稿に対して走査ユニットを左から右に移動させながら画像面を読み取り、流し読み時において、位置決め配置された走査ユニットに対して原稿を右から左に移動させながら画像面を読み取る。
【０００３】
すなわち、走査ユニットを固定して考えた場合、この走査ユニットに対する固定読み時の原稿、及び流し読み時の原稿の相対移動方向が同じであるので、鏡像補正用のメモリが不要であり、また、流し読みに先立つ走査ユニットの移動が不要となる。
【特許文献１】特開２００２−９４７５０号公報
【発明の開示】
【発明が解決しようとする課題】
【０００４】
本発明は、鏡像反転の補正を不要とすると共に、原稿の向きを間違えにくくすることを目的とする。
【課題を解決するための手段】
【０００５】
本発明の請求項１に係る画像読取装置は、原稿画像を上向きにして原稿収容部に収容された原稿束から一枚ずつ分離搬送される原稿を、画像読取部に対して移動させて原稿画像を読み取る移動原稿モードと、原稿画像を上向きにして前記原稿収容部に収容された原稿に対して前記画像読取部を移動させて原稿画像を読み取ると共に、前記画像読取部が原稿画像を読み取る読取り方向が前記移動原稿モードと同じである固定原稿モードと、を備えたことを特徴とする。
【０００６】
本発明の請求項２に係る画像読取装置は、請求項１の構成において、前記固定原稿モードにおける角度よりも前記移動原稿モードにおいて斜めに傾けられ、前記画像読取部が収容された筐体と、前記筐体上に形成され、前記画像読取部に対して移動した原稿が排出される排出部と、を備えたことを特徴とする。
【０００７】
本発明の請求項３に係る画像読取装置は、請求項１又は請求項２の構成において、前記原稿収容部に収容された原稿束から原稿を一枚ずつ分離搬送する搬送手段と、前記固定原稿モードにおいて、前記画像読取部が前記原稿の原稿画像を読み取り可能な読み取り位置へ前記原稿収容部を上昇させると共に、前記移動原稿モードにおいて、前記搬送手段が前記原稿を搬送可能な搬送位置へ前記原稿収容部を下降させる昇降手段と、を備えたことを特徴とする。
【０００８】
本発明の請求項４に係る画像形成装置は、請求項１〜３のいずれか１項に記載の画像読取装置と、前記画像読取装置で読み取られた画像に基づいて、記録媒体へ画像を記録する画像記録装置と、を備えたことを特徴とする。
【発明の効果】
【０００９】
本発明の請求項１の構成によれば、鏡像反転の補正が不要となると共に、原稿収容部に原稿を下向きに収容する構成に比して、原稿の向きを間違えにくい。
【００１０】
本発明の請求項２の構成によれば、斜めに傾けられた筐体上に形成された排出部に原稿が排出されるので、排出された原稿の端部をそろえやすい。
【００１１】
本発明の請求項３の構成によれば、読み取り位置と搬送位置との間の原稿の移動を原稿収容部の昇降により行うので、本構成を有していない場合に比して簡易な構成となる。
【００１２】
本発明の請求項４の構成によれば、鏡像反転の補正が不要となると共に、原稿収容部に原稿を下向きに収容する構成に比して、原稿の向きを間違えにくい。
【発明を実施するための最良の形態】
【００１３】
以下に、本発明に係る実施形態の一例を図面に基づき説明する。
【００１４】
（本実施形態に係る画像形成装置の構成）
まず、本実施形態に係る画像形成装置の構成を説明する。図１は、本実施形態に係る画像形成装置の構成を示す概略図である。
【００１５】
本実施形態に係る画像形成装置１００は、用紙等の記録媒体Ｐに画像を記録する画像記録装置１１０と、原稿を搬送すると共にその原稿の画像を読み取る画像読取装置１０とを備えている。
【００１６】
画像読取装置１０は、画像形成装置１００の上部に設けられ、画像記録装置１１０は、画像形成装置１００の下部に設けられている。
【００１７】
画像読取装置１０は、原稿の画像を読み取り、その読み取った画像を画像信号に変換するようになっている。画像記録装置１１０は、画像読取装置１０が変換した画像信号に基づいて記録媒体Ｐへ画像を記録するようになっている。
【００１８】
ここで、本実施形態に係る画像記録装置１１０の構成について説明する。
【００１９】
本実施形態に係る画像記録装置１１０は、図１に示すように、その下部に、記録媒体Ｐが収容された複数の記録媒体収容部１２０、１２１を備えている。
【００２０】
記録媒体収容部１２０、１２１には、それぞれ、異なるサイズの記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００２１】
記録媒体収容部１２０、１２１の先端側（図１において右端側）の直上には、記録媒体Ｐの上面の先端側に接触して回転し、記録媒体収容部１２０、１２１から記録媒体Ｐを送り出す送出しロール１２６が配置されている。
【００２２】
画像記録装置１１０内には、記録媒体収容部１２０、１２１の先端部から延出して、Ｓ字状に湾曲し、画像記録装置１１０の上部へ向かって延びる搬送路１２２が形成されている。
【００２３】
この搬送路１２２に沿って、記録媒体の搬送方向の上流側から順に、記録媒体Ｐを挟持搬送する複数（例えば、６つ）の搬送ロール対１６４と、レジストロール１６８とが配置されている。
【００２４】
記録媒体収容部１２１の上方には、記録媒体Ｐへ画像を記録する画像記録部１３０が配置されている。
【００２５】
記録媒体収容部１２０、１２１に収容された記録媒体Ｐは、送出しロール１２６により送り出され、搬送ロール対１６４及びレジストロール１６８によって搬送路１２２を搬送されて画像記録部１３０へ送られる。
【００２６】
画像記録部１３０は、記録媒体収容部１２０、１２１から送られてきた記録媒体Ｐに、シアン、マゼンタ、イエロー及びブラックの各色トナーを用いてカラー画像を形成するようになっている。
【００２７】
画像記録部１３０には、４つの感光体ドラム１１２が並んで回転可能に配設されている。各感光体ドラム１１２は、図示しない駆動部により、矢印Ｋの方向に回転する。
【００２８】
各感光体ドラム１１２の左斜め下方には、帯電ローラ１１４が感光体ドラム１１２に接触するように配設されている。帯電ローラ１１４は、感光体ドラム１１２の表面を所定の電位に帯電する。
【００２９】
帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００３０】
各感光体ドラム１１２の右斜め下方には、各色に対応した現像器１１８が配設されている。各色の現像器１１８の現像ローラ１１９には、所定の極性に帯電した各色トナーが保持されている。各感光体ドラム１１２の表面に形成された潜像は、現像ローラ１１９に現像バイアスを印加することで現像され各色のトナー像となる。
【００３１】
４個の各感光体ドラム１１２にそれぞれ形成された各色のトナー像は、各感光体ドラム１１２の上方に配置された中間転写ベルト１１３上に第１転写ローラ１１５で転写され、中間転写ベルト１１３上に重畳されてフルカラーのトナー像となる。
【００３２】
記録媒体収容部１２０、１２１から送り出されると共に搬送ロール対１６４で搬送された記録媒体Ｐは、レジストロール１６８により所定のタイミングで第２転写ローラ１３２と中間転写ローラ１３４との間に送られ、フルカラーのトナー像が記録媒体Ｐに転写される。なお、中間転写ローラ１３４側の記録媒体Ｐの面にトナー像は転写される。
【００３３】
フルカラーのトナー像が転写された記録媒体Ｐは、定着器１３６に送られる。定着器１３６は熱と圧力とで記録媒体Ｐにトナー像を定着する。トナー像が定着された記録媒体Ｐは、排出ローラ１４２によって排紙トレイ１４０へ排出される。
【００３４】
なお、中間転写ベルト１１３と記録媒体Ｐとにトナー像は全て転写されずに、一部は感光体ドラム１１２及び中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
（本実施形態に係る画像読取装置の構成）
次に、本実施形態に係る画像読取装置の構成を説明する。
【００３５】
画像読取装置１０は、図２、図３及び図４に示すように、原稿が収容される原稿収容部５９と、原稿収容部５９に収容された原稿束から原稿を一枚ずつ分離搬送する搬送手段としての搬送部２０と、搬送部２０によって搬送される原稿の原稿画像及び原稿収容部５９に収容された原稿の原稿画像を読み取る画像読取部３０と、を備えている。
【００３６】
また、画像読取装置１０は、画像読取部３０に対して原稿を移動させて原稿画像を読み取る移動原稿モードと、原稿に対して画像読取部３０を移動させて原稿画像を読み取る固定原稿モードと、を備えている。
【００３７】
画像読取装置１０では、移動原稿モードにおいて、搬送部２０によって搬送される原稿の原稿画像が、画像読取部３０により読み取られ、固定原稿モードにおいて、原稿収容部５９に収容された原稿の原稿画像が、移動する画像読取部３０により読み取られる。
【００３８】
原稿収容部５９は、原稿が載置される原稿台６０を備えている。本実施形態では、原稿画像が形成された被読み取り面を上向きにした状態で原稿が原稿台６０に載置され、原稿画像を上向きにして原稿が原稿収容部５９に収容される構成となっている。画像読取部３０が、原稿台６０の上方に配置されており、上向きの原稿画像を画像読取部３０が読み取る。
【００３９】
なお、原稿収容部５９には、原稿台６０に載置された原稿の先端部が突き当たって原稿の先端部が揃えられる先端ガイド５９Ａが設けられている（図５参照）。また、原稿収容部５９には、原稿台６０に載置された原稿の幅方向端部に突き当てて、原稿の幅方向端部を揃えるサイドガイド（図示省略）が配置されている。このサイドガイドの位置により、原稿台６０に載置された原稿の原稿幅を検出する検出センサが、原稿収容部５９に設けられている。また、原稿収容部５９には、原稿の原稿長を検出する検出センサが設けられている。さらに、原稿収容部５９には、原稿が原稿台６０に載置されている否かを検出する検出センサが設けられている。
【００４０】
本実施形態に係る画像読取装置１０は、原稿収容部５９の原稿台６０が、昇降可能に装置本体１１に設けられている。原稿収容部５９には、図５（Ａ）及び図５（Ｂ）に示すように、原稿収容部５９の原稿台６０を昇降させる昇降手段の一例としての昇降装置６２が設けられている。
【００４１】
昇降装置６２は、原稿台６０の一端部を揺動中心として他端部を上下に揺動することにより、原稿台６０を昇降する。本実施形態では、原稿収容部５９から送り出される原稿の後端側を揺動中心として原稿の先端側が上下に揺動する構成となっている。
【００４２】
具体的には、昇降装置６２は、図５（Ａ）に示すように、固定原稿モードにおいて、原稿収容部５９に収容された原稿の原稿画像を画像読取部３０が読み取り可能な読み取り位置へ原稿台６０を上昇させる。この読み取り位置において、原稿台６０は、例えば、水平とされる。
【００４３】
さらに、昇降装置６２は、図５（Ｂ）に示すように、移動原稿モードにおいて、搬送部２０が原稿を搬送可能な搬送位置へ原稿台６０を下降させる。この搬送位置において、原稿台６０は、例えば、斜めに傾けられる。
【００４４】
なお、図５（Ａ）において、実線で示す原稿収容部５９の位置が読み取り位置を示し、二点鎖線で示す原稿収容部５９の位置が搬送位置を示す。図５（Ｂ）においては、実線で示す原稿収容部５９の位置が搬送位置を示し、二点鎖線で示す原稿収容部５９の位置が読み取り位置を示す。
【００４５】
昇降装置６２としては、例えば、原稿台６０の底面に突き当てられたアームを備え、アームを駆動させ、原稿台６０を押し上げて原稿台６０を昇降させる構成とすることができる。
【００４６】
なお、原稿台６０の一端部を揺動中心として他端部が上下に揺動する構成に限られず、原稿台６０の全体が上下動する構成であってもよい。
【００４７】
本実施形態に係る画像読取装置１０は、図２、図３及び図４に示すように、画像読取部３０が筐体５０に収容されている。筐体５０の底面には、開口５０Ａが形成されており、この開口５０Ａには、光を透過する透過部材としての透明ガラス５２がはめ込まれている。
【００４８】
画像読取部３０は、画像を取り込むためのフルレートキャリッジ３６、フルレートキャリッジ３６から得られた光学像を結像部へ導くハーフレートキャリッジ３８を備えている。このフルレートキャリッジ３６及びハーフレートキャリッジ３８は、透明ガラス５２に沿って移動する構成となっている。
【００４９】
フルレートキャリッジ３６には、原稿に光を照射する光源３６Ａ、原稿から得られた反射光を受光する第１ミラー３６Ｂが設けられている。
【００５０】
ハーフレートキャリッジ３８には、第１ミラー３６Ｂから得られた光を結像部へ導く第２ミラー３８Ａおよび第３ミラー３８Ｂが備えられている。
【００５１】
また、画像読取部３０は、結像レンズを有する結像部としての縮小光学系３９と、ＣＣＤ（Ｃｈａｒｇｅ  Ｃｏｕｐｌｅｄ  Ｄｅｖｉｃｅ）等からなる画像読取素子４０とを備えている。縮小光学系３９は、結像レンズにより、第３ミラー３８Ｂから得られた光学像を光学的に縮小して画像読取素子４０に結像する。
【００５２】
画像読取素子４０は、縮小光学系３９によって結像された光学像を光電変換するようになっている。ここで、固定原稿モードにおいて、原稿収容部５９に収容された原稿の画像を読み取る場合には、フルレートキャリッジ３６とハーフレートキャリッジ３８とが、２：１の割合で読取り方向（図２における矢印Ａ方向）に移動する。このとき、フルレートキャリッジ３６の光源３６Ａの光が原稿の被読み取り面に照射されると共に、その原稿からの反射光が第１ミラー３６Ｂ、第２ミラー３８Ａ、および第３ミラー３８Ｂの順に反射されて縮小光学系３９に導かれる。縮小光学系３９に導かれた光は、画像読取素子４０の受光面に結像され、画像読取素子４０に結像された光は、画像読取素子４０により読み取られる。
【００５３】
移動原稿モードにおいて、搬送部２０で搬送される原稿の画像を読み取る場合は、フルレートキャリッジ３６が搬送路２２上の読み取り位置に移動し、フルレートキャリッジ３６の下方を通過する原稿の画像が、画像読取部３０によって読み取られる。
【００５４】
画像読取部３０が収容された筐体５０は、原稿台６０に対して開閉可能に取り付けられており、揺動軸５０Ｂを揺動中心として揺動可能に装置本体１１に支持されている。
【００５５】
筐体５０は、操作者により操作されて、固定原稿モード位置と、固定原稿モード位置の角度より傾けられた移動原稿モード位置に移動可能とされている。本実施形態では、筐体５０を水平にした水平位置が固定原稿モード位置とされ、筐体５０を斜めに傾けた傾斜位置が移動原稿モード位置とされる。
【００５６】
また、画像読取装置１０は、筐体５０を移動原稿モード位置に固定する固定部（図示省略）を備えている。
【００５７】
筐体５０は、固定部に固定されることにより、移動原稿モード位置に維持される。筐体５０は、固定部による固定が解除されることにより、筐体５０の自重により固定原稿モード位置に移動すると共に、固定原稿モード位置と移動原稿モード位置との間を移動可能な状態となり、操作者の操作により固定原稿モード位置と移動原稿モード位置との間を移動する。
【００５８】
また、筐体５０は、固定原稿モード位置において、原稿台６０に載せられた原稿を押させる押さえカバーとして機能する。すなわち、筐体５０を原稿台６０に対して開放して、原稿を原稿台６０に載せ、筐体５０を閉じて原稿が押さえられる。特に、厚みのある本などの原稿が押さえられる。
【００５９】
本実施形態に係る画像読取装置１０は、搬送部２０が、原稿の上面の先端側に接触して回転し、原稿収容部５９から原稿を送り出す送出しロール１３を備えている。
【００６０】
送出しロール１３は、搬送位置に位置する原稿台６０に載置された原稿に接触する接触位置と、原稿に接触しないように原稿から退避した退避位置に移動可能とされている。
【００６１】
送出しロール１３には、図６に示すように、送出しロール１３を接触位置及び退避位置に移動させるアクチュエータ６４が設けられている。アクチュエータ６４は、往復移動する可動部６４Ａを有しており、可動部６４Ａには、送出しロール１３が回転可能に支持されている。
【００６２】
アクチュエータ６４は、図６に示すように、移動原稿モードにおいて、原稿収容部５９が搬送位置に移動した場合に、送出しロール１３を接触位置に移動させる。また、アクチュエータ６４は、固定原稿モードにおいて、原稿収容部５９が搬送位置から読み取り位置に移動する際に、送出しロール１３を退避位置に移動させる。
【００６３】
なお、図６において、実線で示す原稿収容部５９の位置が搬送位置を示し、二点鎖線で示す原稿収容部５９の位置が読み取り位置を示し、実線で示す送出しロール１３の位置が接触位置を示し、二点鎖線で示す送出しロール１３の位置が退避位置を示す。
【００６４】
送出しロール１３を退避させる構成は、上記の構成に限られず、種々の構成が可能である。例えば、送出しロール１３の回転軸にギアを設け、そのギアと噛み合うギアを回転させると共に移動させることにより送出しロール１３を退避させる構成であってもよい。
【００６５】
また、画像読取装置１０内には、搬送位置における原稿収容部５９の先端部から延出して、Ｃ字状に湾曲する搬送路２２が形成されている。
【００６６】
この搬送路２２の上部側であって送出しロール１３の原稿搬送方向下流側には、原稿収容部５９から送り出された原稿を原稿搬送方向の下流側へ搬送する搬送ロール１４が配置されている。
【００６７】
搬送路２２の下部側であって送出しロール１３の原稿搬送方向下流側には、搬送ロール１４の下方位置で搬送ロール１４に対向する分離ロール１５が配置されている。分離ロール１５は搬送ロール１４に接触しており、搬送ロール１４と分離ロール１５との間に原稿収容部５９から送り出された原稿を挟持する挟持部Ｎが形成される。
【００６８】
搬送ロール１４は、駆動制御部（図示省略）によって、原稿搬送方向に直交する方向を軸方向としてこの軸周りに回転すると共に、その回転駆動が制御される。この搬送ロール１４が、原稿収容部５９から送り出され挟持部Ｎに導入される原稿の上面（表面）に接触して回転駆動することにより、原稿が下流へ搬送される。
【００６９】
分離ロール１５の回転軸には、トルクリミッタ（図示省略）が取り付けられている。このため、挟持部Ｎに１枚の原稿が導入され、その１枚の原稿が搬送ロール１４に搬送される場合では、その原稿から分離ロール１５が所定値以上のトルクを受け、トルクリミッタの作用により、分離ロール１５は原稿に従動回転する。
【００７０】
原稿収容部５９から挟持部Ｎへ複数の原稿が重なって送り出せられた場合には、搬送ロール１４が上側の原稿（１枚目の原稿）へ搬送力を付与する一方、下側の原稿（２枚目以降の原稿）は、分離ロール１５によって、搬送抵抗を付与する。すなわち、搬送ロール１４と分離ロール１５とで、重なった原稿を一枚ずつに分離して（捌いて）原稿を搬送し、原稿の重送を抑制する。
【００７１】
なお、本実施形態に係る分離ロール１５は、駆動力を付与されず従動回転する従動ロールで構成であったが、分離ロール１５は、駆動力が付与される駆動ロールで構成されていてもよい。
【００７２】
さらに、搬送路２２には、搬送路２２に沿って、原稿のスキューを補正するレジロール１６、原稿を挟持搬送する搬送ロール対２８、排出ロール２９が配置されている。
【００７３】
搬送ロール１４及び分離ロール１５で分離搬送される原稿は、レジロール１６によりスキューが補正されて、読み取り位置にあるフルレートキャリッジ３６の下方へ導入される。フルレートキャリッジ３６の下方へ導入された原稿は、搬送ロール対２８で搬送されて、画像読取部３０による読み取りが行われる読み取り位置を通過する。読み取り位置を通過した原稿は、排出ロール２９により、筐体５０上に形成された排出部１９へ排出される。
【００７４】
排出部１９には、原稿の端部をそろえるためのガイド１７が形成され、傾けられた排出部１９に排出された原稿の端部がそろえられる。
【００７５】
また、透明ガラス５２の表面には、搬送路２２を搬送される原稿が当る段差部材５４が設けられている。これにより、段差部材５４は、搬送路２２搬送される原稿が、直接透明ガラス５２に接触せずに、読み取り位置を通過するようにさせる。
【００７６】
また、段差部材５４の裏面（画像読取部３０に対向する面）には、シェーディング補正するための白基準板等の色基準板が設けられている。
【００７７】
さらに、画像読取装置１０には、昇降装置６２及びアクチュエータ６４を駆動制御する制御基板６６が設けられている。
【００７８】
制御基板６６は、固定原稿モードにおいて、アクチュエータ６４により送出しロール１３を退避位置に退避させ、昇降装置６２により原稿台６０を読み取り位置に昇降させる。
【００７９】
また、制御基板６６は、移動原稿モードにおいて、昇降装置６２により原稿台６０を搬送位置に下降させ、アクチュエータ６４により送出しロール１３を接触位置に移動させる。
【００８０】
制御基板６６は、例えば、筐体５０が傾斜位置である移動原稿モード位置に固定部により固定された場合に移動原稿モードと認識し、筐体５０が、固定部による固定が解除された場合に移動原稿モードと認識する。
【００８１】
なお、操作者が外部入力で選択されることにより固定原稿モード及び移動原稿モードを認識する構成でもよい。
【００８２】
（本実施形態の作用）
次に、上記の実施形態について作用を説明する。まず、固定原稿モードにおける原稿の読み取りについて説明する。
【００８３】
固定原稿モードにおいては、制御基板６６により、原稿台６０が読み取り位置に上昇し、読み取り位置にて原稿台６０が固定される（図２参照）。操作者は、筐体５０を開放して、原稿画像を上向きにして原稿を原稿台６０に載置し、筐体５０を閉じる。
【００８４】
画像読取部３０が、図２における右から左方向（矢印Ａ方向）へ移動し、原稿収容部５９に収容された原稿の左端から右端にかけて、原稿の原稿画像を読み取る。
【００８５】
次に、移動原稿モードにおける原稿の読み取りについて説明する。
【００８６】
移動原稿モードにおいては、操作者により、筐体５０が、斜めに傾けられる移動原稿モード位置に移動させる。また、操作者は、筐体５０を開放して、原稿画像を上向きにして原稿を原稿台６０に載置する。
【００８７】
また、移動原稿モードにおいては、制御基板６６により、原稿台６０が搬送位置に下降し、搬送位置にて原稿台６０が固定される。送出しロール１３は、アクチュエータ６４により、原稿収容部５９に収容された原稿に接触する接触位置に移動する。
【００８８】
画像読取部３０は、図３に示すように、画像読取部３０を段差部材５４の色基準板の位置に移動してシェーディング補正を実施した後、図４に示すように、段差部材５４よりも左側の読み取り位置に移動する。
【００８９】
操作者により、操作画面のスタートボタンが押されると、送出しロール１３が原稿を原稿収容部５９から送り出す。送出しロール１３で送り出された原稿は、搬送ロール１４及び分離ロール１５により1枚ずつに分離搬送され、レジロール１６でスキュー補正されて、段差部材５４でガラスに接触しないようにされた読み取り位置で、画像読取部３０で読み取られる。
【００９０】
搬送路２２を搬送される原稿は、画像読取部３０のフルレートキャリッジ３６に対して、右から左方向へ移動する。原稿画像が読み取られた原稿は、排出ロール２９により排出部１９に排出される。
【００９１】
このように、固定原稿モードにおいて、原稿収容部５９に収容された原稿に対して、画像読取部３０を図２における左から右方向に移動させながら原稿画像を読み取る。移動原稿モードにおいては、画像読取部３０に対して、原稿を図４における右から左方向に移動させながら原稿画像を読み取る。
【００９２】
画像読取部３０を固定して考えた場合、この画像読取部３０に対する固定原稿モードにおける原稿及び移動原稿モードにおける原稿の相対移動方向が同じであり、どちらのモードでも画像読取部３０の右側に原稿がある。すなわち、固定原稿モード及び移動原稿モードにおいて、原稿画像を読み取る読み取り方向が同じである。このため、鏡像反転の補正が不要となる。
【００９３】
また、本実施形態では、図７（Ａ）に示すように、原稿画像を上向きにして原稿が原稿台６０に載置されるので、実際に原稿画像を見ながら原稿を原稿台６０に載置でき、原稿の向きを間違えにくい。特に、切り取られた原稿を複数並べて原稿台６０に載置する際においては、原稿の向き及び原稿の配置を間違えにくい。
【００９４】
図７（Ｂ）に示すように、仮に、原稿画像を下向きにして原稿が原稿台６０に載置する場合には、原稿画像が見えず、原稿の向きを間違えやすい。特に、切り取られた原稿を複数並べて原稿台６０に載置する際においては、原稿の向き及び原稿の位置を間違えやすい。
【００９５】
また、本実施形態では、画像読取部３０の読み取り面が下向きに配置されてあり、透明ガラス５２が１枚で構成されているため、複数のガラスがはめ込まれている構成に比して、透明ガラス５２と筐体５０との隙間から紙粉が進入しにくく、画像読取部３０が汚れることを抑制できる。
【００９６】
固定原稿読み取りモードでは、画像読取部３０が収容された筐体５０を水平にし、移動原稿モードでは筐体５０を傾けるように構成したので、画像読取部３０を含む筐体５０の小型化が可能となった。
【００９７】
また、筐体５０の固定原稿モード位置は、搬送路２２を開放できるので、ジャムクリアのときにも使用できる。
【００９８】
また、透明ガラス５２は、固定原稿モードのサイズだけあればよいので、機械サイズも小型に設計可能となる。
【００９９】
また、本実施形態では、画像読取部３０の筐体５０の読み取り面とは、反対側の面が排出部１９を兼ねているので、部品点数の削減が出来る。
【０１００】
なお、本実施形態の画像読取部３０は縮小光学系を用いているが、ＣＩＳ（Ｃｏｎｔａｃｔ  Ｉｍａｇｅ  Ｓｅｎｓｏｒを有する密着光学系にすれば、さらに薄型の読み取り装置が実現できる。
【０１０１】
また、図８に示すように、移動原稿モードにおいて、筐体５０を水平位置にする構成であってもよい。
【０１０２】
この構成では、筐体５０上に凹凸を有する排出部１９が形成されており、排出部１９が傾斜している。
【０１０３】
また、筐体５０は、画像読取部３０の読み取り位置がある側とは反対の端部（図８において右側の端部）を支点として開放されるようになっている。この構成では、開放する支点を任意に設定することができ、例えば、画像読取装置１０の奥側を支点に開放される構成であってもよい。
【０１０４】
この構成では、原稿が透明ガラス５２の下方位置から上方へ搬送されて、読み取り位置に運ばれ、読み取り位置から下方へ搬送されてから排出部１９に運ばれる。
【０１０５】
なお、上述の筐体５０を傾斜させる構成では、原稿が横方向へ搬送されて、読み取り位置に運ばれ、読み取り位置から下方へ搬送されるから排出部１９に運ばれる。
【０１０６】
本発明は、上記の実施形態に限るものではなく、種々の変形、変更、改良が可能である。
【図面の簡単な説明】
【０１０７】
【図１】図１は、本実施形態に係る画像形成装置の構成を示す概略図である。
【図２】図２は、固定原稿モードにおける画像読取装置の構成を示す概略図である。
【図３】図３は、移動原稿モードにおける画像読取装置の構成において、シェーディング補正を実施している状態を示す概略図である。
【図４】図４は、移動原稿モードにおける画像読取装置の構成において、画像読取部が読み取り位置にある状態を示す概略図である。
【図５】図５は、本実施形態に係る原稿台を昇降させる構成を示す概略図である。
【図６】図６は、本実施形態に係る送出しロールを退避させる構成を示す概略図である。
【図７】図７は、本実施形態に係る原稿台に切り取り原稿を載置した場合を示す概略図である。
【図８】図８は、移動原稿モードにおける画像読取装置の構成の変形例を示す概略図である。
【符号の説明】
【０１０８】
１０   画像読取装置
１９   排出部
２０   搬送部（搬送手段）
５０   筐体
６２   昇降装置（昇降手段）
１００ 画像形成装置
１１０ 画像記録装置
【図１】
2009105837.tif 000003
【図２】
2009105837.tif 000004
【図３】
2009105837.tif 000005
【図４】
2009105837.tif 000006
【図５】
2009105837.tif 000007
【図６】
2009105837.tif 000008
【図７】
2009105837.tif 000009
【図８】
2009105837.tif 000010